【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
噴射ヘッドから液体を噴射する液体噴射装置に装着されて、該噴射ヘッドに液体を供給する液体収容容器であって、
前記液体を内部に収容する液体収容室と、
前記液体を前記噴出ヘッドに供給するための液体供給部と、
前記液体収容室から前記液体供給部に前記液体を供給するための経路中に設けられ、内部に残量センサーであるデバイスを備えるデバイス室と、
前記液体収容室における前記液体の減少に伴い、前記液体収容容器の外部から前記液体収容室に空気を供給するための経路中に設けられ、内部が空気で満たされており、前記液体収容室から前記液体が逆流した場合に、前記液体をトラップして、前記液体の前記液体収容容器の外部への漏洩を防止する空気室と、を備え、
前記デバイス室を囲む複数の壁のうち少なくとも一部の壁は前記空気室を形成するために用いられ、前記少なくとも一部の壁は前記デバイス室と前記空気室との間に位置している、ことを特徴とする液体収容容器。
【請求項２】
請求項１に記載の液体収容容器において、
前記デバイス室を囲む複数の壁のうち第１の壁は前記デバイス室を前記液体収容容器の外部から仕切り、前記複数の壁のうち前記第１の壁を除く他の壁は前記空気室を形成するために用いられ、前記他の壁は前記デバイス室と前記空気室との間に位置する、ことを特徴とする液体収容容器。
【請求項３】
請求項２に記載の液体収容容器において、
少なくとも前記第１の壁は、前記デバイス室の内部に位置する前記デバイスとは異なる他のデバイスと隣接する、ことを特徴とする液体収容容器。
【請求項４】
請求項３に記載の液体収容容器において、
前記他のデバイスは、メモリーである液体収容容器。
【請求項５】
請求項１乃至４のいずれか一項に記載の液体収容容器において、
前記デバイス室に隣接する壁に、前記液体収容容器を前記液体噴射装置に固定する固定レバーを備える、ことを特徴とする液体収容容器。
【請求項６】
請求項１乃至５のいずれか一項に記載の液体収容容器において、
前記液体噴射装置に電気的接続可能な回路基板を備える、ことを特徴とする液体収容容器。
【請求項７】
噴射ヘッドから液体を噴射する液体噴射装置に装着されて、該噴射ヘッドに液体を供給する液体収容容器であって、
前記液体を内部に収容する液体収容室と、
前記液体を前記噴出ヘッドに供給するための液体供給部と、
前記液体収容室の外部に設けられた回路基板と、
前記液体収容室における前記液体の減少に伴い、前記液体収容容器の外部から前記液体収容室に空気を供給するための経路中に設けられ、内部が空気で満たされており、前記液体収容室から前記液体が逆流した場合に、前記液体をトラップして、前記液体の前記液体収容容器の外部への漏洩を防止する空気室と、を備え、
前記デバイス室を囲む複数の壁のうち第１の壁は前記空気室を形成するために用いられ、前記第１の壁は前記デバイス室と前記空気室との間に位置し、前記複数の壁のうち第２の壁は前記回路基板が設けられるよう用いられる、ことを特徴とする液体収容容器。
【請求項８】
請求項７に記載の液体収容容器において、
前記第２の壁は前記デバイス室を前記液体収容容器の外部から仕切り、前記複数の壁のうち前記第２の壁を除く他の壁は前記空気室を形成するために用いられ、前記他の壁は前記デバイス室と前記空気室との間に位置する、ことを特徴とする液体収容容器。
【請求項９】
請求項７または８に記載の液体収容容器において、
前記回路基板にメモリーが載置されている、ことを特徴とする液体収容容器。
【手続補正２】
【補正対象書類名】明細書
【補正対象項目名】０００８
【補正方法】変更
【補正の内容】
【０００８】
上述した課題の少なくとも一部を解決するために、本発明の液体収容容器は次の構成を採用した。すなわち、
噴射ヘッドから液体を噴射する液体噴射装置に装着されて、該噴射ヘッドに液体を供給する液体収容容器であって、
前記液体を内部に収容する液体収容室と、
前記液体を前記噴出ヘッドに供給するための液体供給部と、
前記液体収容室から前記液体供給部に前記液体を供給するための経路中に設けられ、内部に残量センサーであるデバイスを備えるデバイス室と、
前記液体収容室における前記液体の減少に伴い、前記液体収容容器の外部から前記液体収容室に空気を供給するための経路中に設けられ、内部が空気で満たされており、前記液体収容室から前記液体が逆流した場合に、前記液体をトラップして、前記液体の前記液体収容容器の外部への漏洩を防止する空気室と、を備え、
前記デバイス室を囲む複数の壁のうち少なくとも一部の壁は前記空気室を形成するために用いられ、前記少なくとも一部の壁は前記デバイス室と前記空気室との間に位置している、ことを要旨とする。
【手続補正３】
【補正対象書類名】明細書
【補正対象項目名】００１０
【補正方法】変更
【補正の内容】
【００１０】
本発明の液体収容容器において、前記デバイス室を囲む複数の壁のうち第１の壁は前記デバイス室を前記液体収容容器の外部から仕切り、前記複数の壁のうち前記第１の壁を除く他の壁は前記空気室を形成するために用いられ、前記他の壁は前記デバイス室と前記空気室との間に位置する、ことが好ましい。
【手続補正４】
【補正対象書類名】明細書
【補正対象項目名】００１２
【補正方法】変更
【補正の内容】
【００１２】
本発明の液体収容容器において、少なくとも前記第１の壁は、前記デバイス室の内部に位置する前記デバイスとは異なる他のデバイスと隣接していてもよい。このように構成することにより、液体収容容器が落下し、液体収容容器に衝撃が加わった場合でも、前述したとおり、デバイス室には、空気室から衝撃が加わらないため、そのデバイス室に壁を隔てて隣接する上記他のデバイスにも衝撃が加わりにくい。従って、上記他のデバイスの損傷も回避することができる。
【手続補正５】
【補正対象書類名】明細書
【補正対象項目名】００１３
【補正方法】変更
【補正の内容】
【００１３】
本発明の液体収容容器において、前記他のデバイスは、メモリーであってよい。このように，他のデバイスをメモリーとすることにより、収容する液体の種類や製造年月日などの情報を記憶させることができる。
【手続補正６】
【補正対象書類名】明細書
【補正対象項目名】００１４
【補正方法】変更
【補正の内容】
【００１４】
本発明の液体収容容器において、前記デバイス室に隣接する壁に、前記液体収容容器を前記液体噴射装置に固定する固定レバーを備える、ことが好ましい。液体収容容器が落下した場合、液体収容容器の重心を考慮すると、液体収容容器は、空気室側が上となるよう落下する可能性が高い。従って、固定レバーを、その空気室に隣接するデバイス室に近接して配置することにより、液体収容容器が床面に衝突した際に、固定レバーが下側となって破損する可能性は低くなる。
【手続補正７】
【補正対象書類名】明細書
【補正対象項目名】００１５
【補正方法】変更
【補正の内容】
【００１５】
上述した課題の少なくとも一部を解決するための他の構成として、本発明の液体収容容器は次の構成を採用した。
噴射ヘッドから液体を噴射する液体噴射装置に装着されて、該噴射ヘッドに液体を供給する液体収容容器であって、
前記液体を内部に収容する液体収容室と、
前記液体を前記噴出ヘッドに供給するための液体供給部と、
前記液体収容室の外部に設けられた回路基板と、
前記液体収容室における前記液体の減少に伴い、前記液体収容容器の外部から前記液体収容室に空気を供給するための経路中に設けられ、内部が空気で満たされており、前記液体収容室から前記液体が逆流した場合に、前記液体をトラップして、前記液体の前記液体収容容器の外部への漏洩を防止する空気室と、を備え、
前記デバイス室を囲む複数の壁のうち第１の壁は前記空気室を形成するために用いられ、前記第１の壁は前記デバイス室と前記空気室との間に位置し、前記複数の壁のうち第２の壁は前記回路基板が設けられるよう用いられる、ことが好ましい。
【手続補正８】
【補正対象書類名】明細書
【補正対象項目名】００１６
【補正方法】変更
【補正の内容】
【００１６】
本発明の液体収容容器において、前記第２の壁は前記デバイス室を前記液体収容容器の外部から仕切り、前記複数の壁のうち前記第２の壁を除く他の壁は前記空気室を形成するために用いられ、前記他の壁は前記デバイス室と前記空気室との間に位置する、ことが好ましい。本発明の液体収容容器において、前記回路基板にメモリーが載置されている、ことが好ましい。